(57)【要約】      （修正有）【課題】バンドの長さを微調整することのできるバックル（中留め）において、さらに進化したバンド用微調整バックルを提供する。【解決手段】バンドの着脱のために設けられたバックル１０にバンドの一端と接続する接続駒をスライドさせるスライド構造２０を有する。スライド構造２０は、バックル１０の幅方向に付勢し合う一対のスライド駒３０，３０と、スライド駒３０，３０から突起する係合突起３１，３１をバンドの長手方向へ段階的に係合させるようにバックル１０へ形成された係合溝５０，５０と、スライド駒３０，３０の外側に設けられてスライド駒３０，３０を内側へ押し込むとともに係合突起３１，３１，と係合溝５０，５０との係合を解消したスライド駒３０，３０をバンドの長手方向へスライドさせる一対の歯車６０，６０とを備える。【選択図】図２
2020058636.tif 000002
【特許請求の範囲】
【請求項１】
バンドの長さを微調整するためのバンド用微調整バックルであって、
バンドの着脱のために設けられたバックルにバンドの一端と接続する接続駒をスライドさせるスライド構造を有し、
当該スライド構造は、バックルの幅方向に付勢し合う一対のスライド駒と、スライド駒から突起する係合突起をバンドの長手方向へ段階的に係合させるようにバックルへ形成された係合溝と、スライド駒の外側に設けられてスライド駒を内側へ押し込むとともに係合突起と係合溝との係合を解消したスライド駒をバンドの長手方向へスライドさせる一対の操作部材と、を備えたことを特徴とするバンド用微調整バックル。
【請求項２】
操作部材は、スライド駒の外縁に形成されたラックに噛み合う歯車からなることを特徴とする請求項１記載のバンド用微調整バックル。
【請求項３】
当該スライド構造は、一対のスライド駒を収納するとともに接続駒と連結するスライド箱を備えたことを特徴とする請求項１又は２記載のバンド用微調整バックル。
【請求項４】
請求項１から３のいずれかに記載のバンド用微調整バックルを備えたことを特徴とする腕時計バンド。
【請求項５】
請求項４記載の腕時計バンドを備えたことを特徴とする腕時計。
【発明の詳細な説明】
【技術分野】
【０００１】
本願発明は、バンド、特に時計バンドの長さを微調整するためのバックル（中留め）に関するものである。
【背景技術】
【０００２】
本願出願人は、これまでにもバンドの長さを微調整できるバックルを種々開発してきた（特許文献１等）。
【先行技術文献】
【特許文献】
【０００３】
【特許文献１】特開２００８−１８３２１３号公報
【発明の概要】
【発明が解決しようとする課題】
【０００４】
本願出願人は、さらに進化したバンド用微調整バックルを提供すべく、鋭意試験・研究を行い、本願発明を開発・完成するに至った。
【課題を解決するための手段】
【０００５】
本願発明の内容は、以下の通りである。
第１の発明は、バンドの長さを微調整するためのバンド用微調整バックルであって、バンドの着脱のために設けられたバックルにバンドの一端と接続する接続駒をスライドさせるスライド構造を有し、当該スライド構造は、バックルの幅方向に付勢し合う一対のスライド駒と、スライド駒から突起する係合突起をバンドの長手方向へ段階的に係合させるようにバックルへ形成された係合溝と、スライド駒の外側に設けられてスライド駒を内側へ押し込むとともに係合突起と係合溝との係合を解消したスライド駒をバンドの長手方向へスライドさせる一対の操作部材と、を備えたことを特徴とするものである。
第２の発明は、操作部材が、スライド駒の外縁に形成されたラックに噛み合う歯車からなることを特徴とする同バンド用微調整バックルである。
第３の発明は、当該スライド構造が、一対のスライド駒を収納するとともに接続駒と連結するスライド箱を備えたことを特徴とする同バンド用微調整バックルである。
第４の発明は、上記第１乃至第３の発明に係るバンド用微調整バックルを備えたことを特徴とする腕時計バンドである。
第５の発明は、上記第４の発明に係る腕時計バンドを備えたことを特徴とする腕時計である。
【発明の効果】
【０００６】
本願発明によれば、以下のような効果を有する。
（１）バックルにバンドの一端と接続する接続駒をスライドさせるスライド構造を有することで、そのスライド構造が備える一対の操作部材を操作するだけで、簡単且つ確実にバンドの長さを微調整できる。
（２）操作部材がスライド駒の外縁に形成されたラックに噛み合う歯車からなることで、歯車を押し込みながら回転させる操作でバンドの長さを微調整できるので、微調整の操作を極めて簡単且つ確実に行える。
（３）スライド構造が一対のスライド駒を収納するとともに接続駒と連結するスライド箱を備えることで、スライド構造を確実に保護するとともにその操作性を向上させるものとなる。
【図面の簡単な説明】
【０００７】
【図１】本願考案に係るバンド用微調整バックルを説明する外観説明図。
【図２】本願考案に係るバンド用微調整バックルを説明する分解説明図。
【発明を実施するための形態】
【０００８】
本願発明の実施形態を図面に基づいて説明する。
図１は、本願発明に係るバンド用微調整バックルを説明する外観説明図であり、図２は、その分解説明図である。
図示するように、バンド用微調整バックル１０（以下、バックル１０ともいう。）は、バンド（図示省略）の着脱のために設けられたバックル（中留め）であって、バンドの一端と接続する接続駒７０をスライドさせるスライド構造２０を有する。
【０００９】
スライド構造２０は、バックル１０の幅方向に付勢し合う一対のスライド駒３０，３０と、スライド駒３０，３０を収納するとともに接続駒７０に連結するスライド箱４０とを備える。なお、図２ではスライド駒３０，３０はコイルバネ２１によって付勢し合うようになっているが、付勢手段はこれに限るものではない。
また、スライド構造２０は、スライド駒３０から突起する係合突起３１をバンドの長手方向へ段階的に係合させるようにバックル１０へ形成された係合溝５０を備える。
【００１０】
さらに、スライド構造２０は、スライド駒３０の外側に設けられてスライド駒３０を内側へ押し込むとともに係合突起３１と係合溝５０との係合を解消したスライド駒３０をバンドの長手方向へスライドさせる一対の操作部材としての歯車６０を備える。歯車６０は支軸ピン６５によって軸支されており、その支軸ピン６５がバックル１０に設けられた幅方向へ延びる長溝１１に沿って移動することで、スライド駒３０を内側へ押し込むことが可能になっている。また、歯車６０の外周に設けられた歯６１が、スライド駒３０の外縁に形成されたラック３２に噛み合うことで、歯車６０を回転させてスライド駒６０をバンドの長手方向へスライドさせることが可能になっている。
【００１１】
バックル１０が以上のようなスライド構造２０を有することで、バックル１０に設けられた歯車６０，６０を押し込みながら回転させる操作でスライド駒３０，３０をスライドさせて、所望の位置になったら歯車６０，６０の押し込みを止めることで係合突起３１，３１を係合溝５０，５０に係合させてバンドの長さを微調整できる。このときコイルバネ２１，２１によってスライド駒３０，３０は外側へ付勢されているので（外側へ常にテンションが掛かっているので）、係合突起３１，３１と係合溝５０，５０の係合状態は確実に維持される。よって、微調整の操作を極めて簡単且つ確実に行えるものとなっている。
【産業上の利用可能性】
【００１２】
本願発明は、腕時計バンドや装身具のバンドの他、ものを締結する際に用いられるバンド・ベルト類などにも幅広く利用できるものである。
【符号の説明】
【００１３】
１０  バンド用微調整バックル（バックル）
１１  長溝
２０  スライド構造
２１  コイルバネ
３０  スライド駒
３１  係合突起
３２  ラック
４０  スライド箱
５０  係合溝
６０  歯車
６１  歯
６５  支軸ピン
７０  接続駒
【図１】
2020058636.tif 000003
【図２】
2020058636.tif 000004